(57)【要約】【課題】ネジ部品と組み合わせて使用されるナットを保持する構造を有するコネクタにおいて、ナットの保持力を向上し、ナットの装着を容易にし、コネクタの取り付け作業の効率を向上させる。【解決手段】多角ナットが収容される凹状のナット収容部１１０と、多角ナットがナット収容部１１０に収容された後、多角ナットが抜けるのを防止するためのナット止め部１１１と、を有する。ナット収容部１１０は、多角ナットの多角面の少なくとも２つの面と面接触する少なくとも２つの側壁１１３を有し、ナット止め部１１１は、対向する２つのロック片１１４から構成され、ロック片１１４は、ナット収容部１１０の底部に立設された柱部と、柱部の上端から対向するロック片に向けて片持ち梁状に突出した爪部１１６とを有する。【選択図】図５
2014107046.tif 000002
【特許請求の範囲】
【請求項１】
ネジ部品と組み合わせて使用される多角ナットを保持するナット保持部を有するコネクタであって、
前記ナット保持部は、
前記多角ナットが収容される凹状のナット収容部と、
前記多角ナットが前記ナット収容部に収容された後、前記多角ナットが抜けるのを防止するためのナット止め部と、を有し、
前記ナット収容部は、前記多角ナットの多角面の少なくとも２つの面と面接触する少なくとも２つの側壁を有し、
前記ナット止め部は、対向する２つのロック片から構成され、
前記ロック片は、前記ナット収容部の底部に立設された柱部と、前記柱部の上端から対向するロック片に向けて突出した爪部とを有し、
前記２つのロック片の爪部の先端部どうしの間隔は、前記多角ナットの対向する２つの面の間隔より狭く、
前記爪部は、その上面の先端部に傾斜面を有し、
前記ロック片は、前記２つのロック片の先端部の間隔が、前記多角ナットの多角面によって押し広げられるように可撓性を有することを特徴とするコネクタ。
【請求項２】
前記ナット保持部は、前記ナット収容部に隣接した位置に、前記多角ナットを前記ナット収容部に挿入するときに、前記多角ナットの向きを規制するナット挿入ガイド部を有し、
前記ナット挿入ガイド部は、前記多角ナットの多角面の対向する２つ面の間隔と略同じ幅の溝を有することを特徴とする請求項１に記載のコネクタ。
【請求項３】
前記ナット挿入ガイド部は、前記ナット収容部側と反対側の側面に傾斜面を有することを特徴とする請求項２に記載のコネクタ。
【請求項４】
前記ロック片の前記爪部は、前記ナット挿入ガイド部側の側面に傾斜面を有することを特徴とする請求項２又は３に記載のコネクタ。
【請求項５】
前記爪部の下面と前記柱部の側面とがなす角度は、鋭角であることを特徴とする請求項１〜４のいずれか１項に記載のコネクタ。
【請求項６】
前記ロック片の前記爪部の幅は、前記多角ナットの多角形の一辺の長さと略同じであることを特徴とする請求項１〜５のいずれか１項に記載のコネクタ。
【請求項７】
前記多角ナットは六角ナットであることを特徴とする請求項１〜６のいずれか１項に記載のコネクタ。
【発明の詳細な説明】
【技術分野】
【０００１】
本発明は、電気・電子回路や光通信などの配線を接続するのに使用されるコネクタに関し、特に、ボルト、ビスなどの雄ネジ部品と組み合わせて使用されるナットを保持する構造を有するコネクタに関する。
【背景技術】
【０００２】
コネクタを電子・電気機器セットのパネルに固定して使用する場合、ボルト、ビスなどの雄ネジ部品とナットを組み合わせてコネクタを固定する方法がある。この方法は、例えば、半田付けによる固定方法に比べて、熱源や特別な装置が不要であること、着脱作業性に優れていること、確実に固定できることなどの利点が得られる。
【先行技術文献】
【特許文献】
【０００３】
【特許文献１】特開平８−１１１２６９号公報
【発明の概要】
【発明が解決しようとする課題】
【０００４】
しかしながら、ネジ部品とナットを組み合わせた固定部材で、コネクタをパネルに固定する場合、ナットを指等で押さえて固定してネジ部品を締め付ける必要があるため、作業性が良くない。また、パネルの裏側が見えない状態で固定作業を行う場合、ネジ部品とナットの位置合わせが困難であり、さらに作業性が悪くなる。また、セット内で、ナットを落としてしまう場合もある。
【０００５】
そこで、固定作業の利便性を図るために、予め、ナットをコネクタのハウジングに装着しておくことが考えられる。このような技術の例として、例えば、特許文献１（特開平８−１１１２６９号公報）に記載された技術があげられる。しかしながら、特許文献１に記載された技術は、ナットの保持構造が複雑であり、また、ナットの保持力も必ずしも十分であるとはいえない。
【０００６】
そこで、本発明の目的は、ネジ部品と組み合わせて使用されるナットを保持する構造を有するコネクタにおいて、ナットの保持力を向上し、ナットの装着を容易にし、コネクタの取り付け作業の効率を向上させることができる技術を提供することにある。本発明の前記並びにその他の目的と新規な特徴は、本明細書の記述及び添付図面から明らかになるであろう。
【課題を解決するための手段】
【０００７】
上記の課題を解決するために、本発明は、ネジ部品と組み合わせて使用される多角ナットを保持するナット保持部を有するコネクタであって、前記ナット保持部は、前記多角ナットが収容される凹状のナット収容部と、前記多角ナットが前記ナット収容部に収容された後、前記多角ナットが抜けるのを防止するためのナット止め部と、を有することを特徴とする。前記ナット収容部は、前記多角ナットの多角面の少なくとも２つの面と面接触する少なくとも２つの側壁を有する。前記ナット止め部は、対向する２つのロック片から構成される。前記ロック片は、前記ナット収容部の底部に立設された柱部と、前記柱部の上端から対向するロック片に向けて片持ち梁状に突出した爪部とを有する。前記２つのロック片の爪部の先端部どうしの間隔は、前記多角ナットの対向する２つの面の間隔より狭く、前記爪部は、その上面の先端部に傾斜面を有する。前記ロック片は、前記２つのロック片の先端部の間隔が、前記多角ナットの多角面によって押し広げられるように可撓性を有する。
【発明の効果】
【０００８】
本願において開示される発明のうち、代表的なものによって得られる効果を簡単に説明すれば、以下のとおりである。
（１）ナットの保持力が向上する。
（２）ナットの装着作業が容易になる。
【図面の簡単な説明】
【０００９】
【図１】本発明の一実施の形態によるコネクタをパネルに取り付けた状態（相手側コネクタとの嵌合側）を示す斜視図である。
【図２】本発明の一実施の形態によるコネクタをパネルに取り付けた状態（ケーブルの接続側）を示す斜視図である。
【図３】コネクタのハウジングの構成を示す正面図である。
【図４】図３のＡ−Ａ切断面における断面図である。
【図５】図３に示したハウジングのコネクタ固定部の部分を拡大した正面図である。
【図６】ハウジングのコネクタ固定部の部分を拡大した側面図である。
【図７】図４に示したハウジングの断面図のコネクタ固定部の部分を拡大した断面図である。
【図８】ナット保持部に六角ナットを収容する手順を示す図であり、ハウジングのナット保持部の部分を拡大した斜視図である（六角ナットをナット挿入ガイド部にスライド挿入した状態）。
【図９】ナット保持部に六角ナットを収容する手順を示す図であり、ハウジングのナット保持部の部分を拡大した斜視図である（六角ナットをスライド移動させてナット収容部の上部に位置した状態）。
【図１０】ナット保持部に六角ナットを収容する手順を示す図であり、ハウジングのナット保持部の部分を拡大した斜視図である（六角ナットがナット収容部内に収納された状態）。
【発明を実施するための形態】
【００１０】
以下、本発明の実施の形態を図面に基づいて詳細に説明する。なお、実施の形態を説明するための全図において、同一部材には原則として同一の符号を付し、その繰り返しの説明は省略する。
【００１１】
図１及び図２は、本発明の一実施の形態によるコネクタをパネルに取り付けた状態を示す斜視図である。図１は、相手側コネクタとの嵌合側、すなわち、パネルの表側から見た図である。図２は、ケーブルの接続側、すなわち、パネルの裏側から見た図である。図１及び図２に示すように、本発明の一実施の形態によるコネクタ１００は、電気・電子回路などの配線を接続するのに使用されるコネクタであり、ボルト、ビスなどの雄ネジ部品と組み合わせて使用されるナットを保持する構造を有する。図１及び図２に示すように、コネクタ１００は、樹脂等の絶縁材料から成るハウジング１０１、相手コネクタの端子と接触して電気接続するための複数の端子１０３、ケーブル１０６などから構成される。また、ハウジング１０１は、相手コネクタ（図示せず）との嵌合側（パネル２００の表側）に、相手コネクタ嵌合部１０２を有し、その反対側（パネル２００の裏側）に、ケーブル１０６が接続されるケーブル接続部１０４、ケーブル接続部１０４の両端側の２箇所にコネクタ固定部１０５などを具備している。コネクタ固定部１０５の構造の詳細については後述するが、コネクタ固定部１０５は、ハウジング１０１と一体に形成される。
【００１２】
コネクタ１００は、パネル２００の裏側からパネルの孔２０１に嵌め込まれて、パネルの孔２０１の両側の２箇所にあるネジ孔に雄ネジ部品３０１を貫通させて、コネクタ固定部１０５内のナット保持部１０８に嵌め込まれたナットに雄ネジ部品３０１を螺合することにより固定される。なお、本実施の形態では、一例として電気コネクタを示したが、これに限定されるものではなく、コネクタ１００は、光通信等に用いられる光コネクタであってもよい。また、コネクタ１００をパネル２００に固定する固定部材として、ボルト、ビスなどの雄ネジ部品３０１と六角ナットの組み合わせで説明するが、これに限定されるものではなく、他の固定部材であってもよい。また、ナットは、六角ナットに限られず、四角、八角、十角などの他の多角ナットであってもよい。
【００１３】
次に、図３〜図７により、コネクタ固定部１０５の詳細構造を説明する。図３は、コネクタ１００のハウジング１０１の構成を示す正面図である。図４は、図３のＡ−Ａ切断面における断面図である。なお、図３及び図４は、ハウジング１０１のみを示しており、端子１０３、ケーブル１０６は省略されている。図３は、ハウジング１０１をケーブル接続部１０４側から見た図であり、ケーブルが結線された端子１０３を保持する端子保持部１０７を具備する。コネクタ固定部１０５は、ナットを挿入して保持するためのナット保持部１０８、雄ネジ部品３０１を貫通するためのネジ孔１０９などを具備する。
【００１４】
図５は、図３に示したハウジング１０１のコネクタ固定部１０５の部分を拡大した正面図である。図６は、ハウジング１０１のコネクタ固定部１０５の部分を拡大した側面図である。図７は、図４に示したハウジング１０１の断面図のコネクタ固定部１０５の部分を拡大した断面図である。図５〜図７に示すように、ハウジング１０１のコネクタ固定部１０５は、六角ナットを挿入して保持するためのナット保持部１０８を具備する。
【００１５】
ナット保持部１０８は、六角ナットが収容される凹状のナット収容部１１０と、六角ナットがナット収容部１１０に収容された後、六角ナットが抜けるのを防止するためのナット止め部１１１と、ナット収容部１１０に隣接した位置に設けられたナット挿入ガイド部１１２などを具備する。
【００１６】
ナット収容部１１０は、六角ナットの多角面と面接触する４面の側壁１１３ａ〜ｄを有し、側壁１１３ａ〜ｄによりナットが固定され、雄ねじ部品３０１をナットに螺合する際、ナットの回転が防止される。４つの側壁のうち側壁１１３ａと側壁１１３ｂは連続しており、同様に側壁１１３ｃと側壁１１３ｄも連続している。側壁１１３ａ，１１３ｂの高さは、側壁１１３ｃ，１１３ｄの高さより高くなっている。六角ナットがナット挿入ガイド部１１２を通ってスライド移動して、ナット収容部１１０の上部に位置した時、ナットの多角面の２つの面が側壁１１３ａ，１１３ｂに当たって止まるので、側壁１１３ａ，１１３ｂの上部は、ストッパー又は位置決め機構の機能をはたす。また、側壁１１３ａ〜ｄの上部に、傾斜面１２１ａ〜ｄが設けられており、この傾斜面１２１ａ〜ｄにより、六角ナットを上側から押し込んでナット収容部１１０に挿入することが容易になり、六角ナットの向きが規制される。また、ナット収容部１１０の底面１２３の中央部には、雄ねじ部品３０１を貫通させるためのネジ孔１０９が設けられ、ネジ孔１０９の側壁の外側部分には、雄ねじ部品の挿入が容易になるように傾斜面１２４が設けられている（図７参照）。また、ナット収容部１１０の底面１２３には、ロック片１１４を形成するため、金型の一部が挿入され、それにより金型挿入孔１２５が形成されている（図７参照）。
【００１７】
ナット止め部１１１は、対向する２つのロック片１１４から構成され、ロック片１１４は、ナット収容部１１０の底部に立設された柱部１１５と、柱部１１５の先端部から対向するロック片に向けて片持ち梁状に突出した爪部１１６とを有し、２つのロック片１１４の爪部１１６の先端部どうしの間隔ｄ１は、通常時には、六角ナットの対向する２つの面の間隔より狭くなっている。ロック片１１４は、樹脂等の絶縁材料によりハウジング１０１と一体的に形成されるが、柱部１１５は柱状であるため、距離ｄ１が伸縮する方向（図７における上下方向）に可撓性を有し、２つのロック片の先端部の間隔ｄ１が、六角ナット挿入時に、六角ナットの多角面によって押し広げられるようになっている。
【００１８】
爪部１１６は、その上面の先端部にナット収容部１１０中心部に向けて低くなる傾斜面１１７を有する。爪部１１６の下面と柱部１１５の側面とがなす角度θは、９０度未満の鋭角であり、それにより、六角ナットがナット収容部１１０に収容された後、六角ナットが抜けるのを防止している。すなわち、六角ナット挿入時にナット収容部１１０の底部に向けて（図７の左から右方向へ向けて）力が加わると、傾斜面１１７により、爪部１１６の間隔ｄ１は、容易により広がるが、逆に六角ナット挿入後に外側方向へ（図７の右から左方向へ向けて）力が加わる場合、角度θが鋭角であることにより、爪部１１６の間隔ｄ１は広がりにくくなり、六角ナットの抜けが防げる。また、ロック片１１４の爪部１１６は、ナット挿入ガイド部１１２側の側面に傾斜面１１８を有する。この傾斜面１１８により、六角ナットがナット挿入ガイド部１１２上をナット載置面１１９に沿って（図８〜図１０の左右方向に）スライド移動してナット収容部１１０に近づく際、六角ナットの多角面が傾斜面１１８に接触して２つのロック片の爪部１１６の間隔ｄ１を押し広げるようになっている。また、ロック片１１４の爪部１１６の幅ｗは、六角ナットの多角形の一辺の長さと略同じであり、それにより、六角ナットが安定的に保持される。
【００１９】
ナット挿入ガイド部１１２は、ナット収容部１１０上部に隣接して設けられ、爪部１１６と略同じ高さの位置に設けられており、図６に示すようにロック片１１４の傾斜面１１８がナット載置面１１９より高さ方向で上側に位置している。また、ナット挿入ガイド部１１２は、六角ナットの多角面の対向する２つ面の間隔と略同じ幅の溝を有する。その溝の底面であるナット載置面１１９に六角ナットを置くことにより、六角ナットの向きが規制され、ナット載置面１１９上を六角ナットがスライド移動して、爪部１１６の間隔ｄ１を広げて、六角ナットがナット収容部１１０の中に収容される。また、ナット挿入ガイド部１１２は、ハウジング１０１の外側（ナット収容部側と反対側）の側面に傾斜面１２０を有する。傾斜面１２０により、六角ナットをスライド移動させてナット挿入ガイド部１１２に挿入することが容易になり、六角ナットの向きが規制される。また、ナット挿入ガイド部１１２は、溝の側壁上部に傾斜面１２２を有する。傾斜面１２２により、六角ナットを上から押し込んでナット挿入ガイド部１１２に挿入することが容易になり、六角ナットの向きが規制される。また、ハウジング１０１は、ナット挿入ガイド部１１２の両側横に、六角ナットのスライド移動方向を案内するための表示として、凸状の矢印１２６を有する。
【００２０】
次に、図８〜図１０により、ナット挿入ガイド部１１２に六角ナットを載置して、ナット収容部１１０内に六角ナットを収容する手順を説明する。図８〜図１０は、ナット保持部１０８に六角ナット３０２を収容する手順を示す図であり、ハウジング１０１のナット保持部１０８部分を拡大した斜視図である。図８は、六角ナット３０２をナット挿入ガイド部１１２にスライド挿入した状態、図９は、六角ナット３０２をスライド移動させてナット収容部１１０の上部に位置した状態、図１０は、六角ナット３０２がナット収容部１１０内に収納された状態を示す。
【００２１】
まず、図８に示すように、ナット挿入ガイド部１１２の傾斜面１２０側から六角ナット３０２を挿入する。このとき、傾斜面１２０とナット挿入ガイド部１１２の溝により、六角ナット３０２の向きが規制される。次に、ナット挿入ガイド部１１２上で六角ナット３０２を側壁１１３ａ，１１３ｂ側に向けてスライド移動させる。そして、六角ナット３０２の多角面が、ロック片１１４の傾斜面１１８に当たると、爪部１１６の間隔ｄ１が広がり始まる。さらに六角ナット３０２をスライド移動させると、六角ナット３０２の対向する２つの多角面により、対向するロック片１１４の爪部１１６の間隔ｄ１が押し広げられ、六角ナット３０２の多角面の移動方向先端部が、側壁１１３ａ，１１３ｂに当たり、ナット収容部１１０の上部で止まる（図９）。そして、六角ナット３０２を上から押し込むことにより、六角ナット３０２がナット収容部１１０内に収容される（図１０）。そして、対向するロック片１１４の爪部１１６が元の位置に戻り、爪部１１６の間隔は狭まり、元の間隔ｄ１に戻る。これにより、ナット収容部１１０から六角ナット３０２が抜けなくなる。
【００２２】
また、六角ナット３０２の取り付けは、ナット挿入ガイド部１１２上をスライド移動させなくても、直接、ナット止め部１１１の上方から六角ナット３０２を押し込んでナット収容部１１０に収容することも可能である。これは、爪部１１６の傾斜面１１７に六角ナット３０２が当たり、爪部１１６の間隔ｄ１が広がるからである。
【００２３】
したがって、本実施の形態によるコネクタは、ナット保持部１０８により、ナットが固定されるので、ネジ止め作業時にパネルの裏からナットを押さえなくても、ナットの回転が防止されるので、パネルの裏側が見えない状態であっても、容易に作業を行うことが可能になる。また、セット内でのナットの落下を防止することができる。また、ナット挿入ガイド部やナット止め部の傾斜面により、ナットの位置決めが容易になり、ナットの取り付け作業が容易になる。
【００２４】
以上、本発明者によってなされた発明をその実施の形態に基づき具体的に説明したが、本発明は前記実施の形態に限定されるものではなく、その要旨を逸脱しない範囲で種々変更可能であることはいうまでもない。例えば、六角ナットが保持される構造であれば、ロック片の爪部の幅を六角ナット多角形の一辺の長さより短くしたり、また、ロック片の爪部さらには柱部にスリットを設けて爪部や柱部を分割した構造としたりしてもよい。
【産業上の利用可能性】
【００２５】
本発明は、電気・電子回路や光通信などの配線を接続するのに使用されるコネクタに利用することができる。
【符号の説明】
【００２６】
１００  コネクタ
１０１  ハウジング
１０２  相手コネクタ嵌合部
１０３  端子
１０４  ケーブル接続部
１０５  コネクタ固定部
１０６  ケーブル
１０７  端子保持部
１０８  ナット保持部
１０９  ネジ孔
１１０  ナット収容部
１１１  ナット止め部
１１２  ナット挿入ガイド部
１１３ａ〜ｄ  側壁
１１４  ロック片
１１５  柱部
１１６  爪部
１１７  傾斜面
１１８  傾斜面
１１９  ナット載置面
１２０  傾斜面
１２１ａ〜ｄ  傾斜面
１２２  傾斜面
１２３  底面
１２４  傾斜面
１２５  金型挿入孔
１２６  矢印
２００  パネル
２０１  パネルの孔
３０１  雄ねじ部品
３０２  六角ナット
【図１】
2014107046.tif 000003
【図２】
2014107046.tif 000004
【図３】
2014107046.tif 000005
【図４】
2014107046.tif 000006
【図５】
2014107046.tif 000007
【図６】
2014107046.tif 000008
【図７】
2014107046.tif 000009
【図８】
2014107046.tif 000010
【図９】
2014107046.tif 000011
【図１０】
2014107046.tif 000012